(57)【要約】【課題】基板に製造業者、型式等を示す識別標識を付しながらも、基板の共通化を大幅に促進できるようにする。【解決手段】配線パターンが形成され且つ電子部品５４が装着された基板主体部５６と、基板主体部５６に切断部５７，５８を介して連接された複数の識別標識表示部５９，６０とを備え、各識別標識表示部５９，６０には製造業者、型式等を示す異なる識別標識６３〜６６が表示され、各識別標識表示部５９，６０は切断部５７，５８を切断することにより、任意の１の識別標識表示部５９，６０を基板主体部５６と一体に残して個別に除去可能にしている。【選択図】  図６
2010142471.tif 000002
【特許請求の範囲】
【請求項１】
配線パターンが形成され且つ電子部品（５４）が装着された基板主体部（５６）と、該基板主体部（５６）に切断部（５７，５８）を介して連接された複数の識別標識表示部（５９，６０）とを備え、前記各識別標識表示部（５９，６０）には製造業者、型式等を示す異なる識別標識（６３〜６６）が表示され、前記各識別標識表示部（５９，６０）は前記切断部（５７，５８）を切断することにより、任意の１の前記識別標識表示部（５９，６０）を前記基板主体部（５６）と一体に残して個別に除去可能であることを特徴とする遊技機用基板。
【請求項２】
前記識別標識（６３〜６６）は製造業者を示す製造業者識別標識（６３，６４）と、型式を示す型式識別標識（６５，６６）とを含むことを特徴とする請求項１に記載の遊技機用基板。
【請求項３】
前記識別標識表示部（５９，６０）は前記基板主体部（５６）の一辺の両端部に配置されていることを特徴とする請求項１又は２に記載の遊技機用基板。
【請求項４】
前記識別標識表示部（５９，６０）は前記基板主体部（５６）の対角線方向の両端部に配置されていることを特徴とする請求項１又は２に記載の遊技機用基板。
【請求項５】
基板（４１）と、該基板（４１）を収納する基板ケース（４２）とを備えた遊技機において、前記基板（４１）は電子部品（５４）が装着された基板主体部（５６）と、該基板主体部（５６）に切断部（５７）を介して連接され且つ製造業者、型式等を示す識別標識（６３，６４）が表示された識別標識表示部（５９）とを備え、前記基板主体部（５６）はその外周の一部に、前記切断部（５７）に対応する形状の切断済み縁（６１）を有することを特徴とする遊技機。
【請求項６】
前記基板ケース（４２）は前記切断済み縁（６１）の外側近傍に突出部（７１）を有することを特徴とする請求項５に記載の遊技機。
【請求項７】
前記基板（４１）の一辺の一端側に、前記切断部（５７，５８）を介して前記基板主体部（５６）に連接された前記識別標識表示部（５９，６０）を備え、前記基板主体部（５６）は前記一辺の他端側に前記切断部（５７，５８）に対応する前記切断済み縁（６１）を有することを特徴とする請求項５又は６に記載の遊技機。
【請求項８】
前記基板（４１）の対角線方向の一方の隅側に、前記切断部（５７）を介して前記基板主体部（５６）に連接された前記識別標識表示部（５９）を備え、前記基板主体部（５６）は前記対角線方向の他方の隅側に、前記切断部（５７）に対応する前記破断済み縁（６１）を有することを特徴とする請求項５又は６に記載の遊技機。
【請求項９】
前記切断部（５７，５８）はミシン目（６７）又は表裏の少なくとも一方に形成された切断溝（６８）を有することを特徴とする請求項５〜８の何れかに記載の遊技機。
【発明の詳細な説明】
【技術分野】
【０００１】
本発明は、パチンコ機、アレンジボール機、スロットマシン等の遊技機に使用する遊技機用基板及び、基板ケース内に収納された基板を備えたパチンコ機等の遊技機に関するものである。
【背景技術】
【０００２】
パチンコ機、アレンジボール機等の弾球遊技機では、遊技盤側の遊技動作を制御する主基板、払い出し手段による賞品球の払い出しを制御する払い出し基板、各部に電力を供給する電源基板等、多くの基板が使用され、この各基板に装着された電子部品により遊技動作の制御等を行うようにしている。
【０００３】
これらの基板の内、その主基板は主基板ケースに、払い出し基板は払い出し基板ケースに、電源基板は電源基板ケースに夫々収納されて、遊技盤又は前枠の裏側に装着されている（特許文献１）。
【０００４】
一方、遊技機の所定部位に装着され、遊技の結果に影響を及ぼし、又は及ぼすおそれがある機能を有する基板、例えば主基板、払い出し基板、電源基板等の各基板には、「製造業者の名称」、及び「基板の型式を特定するための番号、記号その他の符号」を印刷することが義務付けられており、各基板毎に製造業者識別標識、型式識別標識が印刷等により付されている。
【特許文献１】特開２００２−３２５９４３号公報
【発明の開示】
【発明が解決しようとする課題】
【０００５】
パチンコ機の技術分野でも、部品の共通化を図ると共に、製造コストの削減を目的としてＯＥＭ化が考えられつつある。
【０００６】
例えばＡ社用とＢ社用とのパチンコ機において、同一の制御を行う基板を使用する場合には、一種類の基板を共通に使用すれば、その基板の製作コストを大幅に削減できる利点がある。
【０００７】
しかし、基板にはＡ社、Ｂ社の製造業者識別標識、型式識別標識を印刷する必要があるため、共通化を図るとしても、Ａ社の製造業者識別標識、型式識別標識が印刷された基板と、Ｂ社の製造業者識別標識、型式識別標識が印刷された基板とを別々に製作している。このためＡ社用の基板と、Ｂ社用の基板を別部品として製造し管理する必要があり、同一の制御機能を備えた基板であるにも拘わらず、製造コストがアップし、また部品管理が煩雑になる欠点がある。しかも、Ａ社用の基板とＢ社用の基板は別部品であるため、一方のパチンコ機を増産し他方のパチンコ機を減産する場合にも、他方の基板を一方に融通して使用するようなこともできない。
【０００８】
本発明は、このような従来の問題点に鑑み、基板に製造業者、型式等を示す識別標識を付しながらも、基板の共通化を大幅に促進できる遊技機用基板及び遊技機を提供することを目的とする。
【課題を解決するための手段】
【０００９】
本発明の遊技機用基板は、配線パターンが形成され且つ電子部品５４が装着された基板主体部５６と、該基板主体部５６に切断部５７，５８を介して連接された複数の識別標識表示部５９，６０とを備え、前記各識別標識表示部５９，６０には製造業者、型式等を示す異なる識別標識６３〜６６が表示され、前記各識別標識表示部５９，６０は前記切断部５７，５８を切断することにより、任意の１の前記識別標識表示部５９，６０を前記基板主体部５６と一体に残して個別に除去可能にしたものである。
【００１０】
また本発明の遊技機は、基板４１と、該基板４１を収納する基板ケース４２とを備えた遊技機において、前記基板４１は電子部品５４が装着された基板主体部５６と、該基板主体部５６に切断部５７を介して連接され且つ製造業者、型式等を示す識別標識６３，６４が表示された識別標識表示部５９とを備え、前記基板主体部５６はその外周の一部に、前記切断部５７に対応する形状の切断済み縁６１を有するものである。
【発明の効果】
【００１１】
本発明によれば、基板４１に製造業者、型式等を示す識別標識６３〜６６を付しながらも、基板４１の共通化を大幅に促進できる利点がある。
【発明を実施するための最良の形態】
【００１２】
以下、本発明の実施例を図面に基づいて詳述する。図１〜図７は本発明をパチンコ機に採用した第１の実施例を例示している。図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１３】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１４】
遊技盤５の前側には、発射手段８により発射された遊技球を案内するガイドレール１１が略環状に装着されると共に、そのガイドレール１１内の遊技領域１２には、液晶表示部１３を備えた液晶表示手段１４の他、普通図柄始動手段１５、特別図柄始動手段１６、大入賞手段１７、普通入賞手段１８等の各種遊技部品が装着されている。
【００１５】
遊技盤５の裏面側には、図２に示すように、液晶表示手段１４等の遊技部品を後側から覆う裏カバー１９が装着され、この裏カバー１９の背面側に、主基板２０が格納された主基板ケース２１、演出基板２２が格納された演出基板ケース２３、液晶基板２４が格納された液晶基板ケース２５等が着脱自在に装着されている。
【００１６】
前枠３の裏側には、前側から装着された遊技盤５の裏側を開閉自在に覆う開閉カバー３１が着脱自在に装着されると共に、その上部側に遊技球タンク３２とタンクレール３３とが、左右方向一端側、例えばヒンジ４側に払い出し手段３４と払い出し通路３５とが夫々装着されており、遊技球が大入賞手段１７等に入賞したとき、又は図外の自動球貸し機から球貸し指令があったときに、遊技球タンク３２内の遊技球をタンクレール３３を経て払い出し手段３４により払い出し、その遊技球を払い出し通路３５を経て貯留皿９に案内するようになっている。
【００１７】
前枠３の裏側下部には基板装着台３６が着脱自在に装着されており、この基板装着台３６の背面側に、電源基板３９が格納された電源基板ケース４０、払い出し基板４１が格納された払い出し基板ケース４２が夫々着脱自在に装着されている。
【００１８】
以下、払い出し基板４１及び払い出し基板ケース４２を例にその詳細を説明する。払い出し基板ケース４２は、例えば前後に偏平な略矩形状の箱形で、図３〜図５に示すように、ケース本体４３及びケース蓋体４４と、例えば左右方向一端側でケース本体４３とケース蓋体４４とを係脱、開閉自在に結合するヒンジ手段４５と、例えば左右方向他端側でケース本体４３とケース蓋体４４とを閉鎖状態で封止可能な封止手段４６とを備え、その内部に払い出し基板４１が格納されている。
【００１９】
ケース本体４３は外周に沿って突設された外周枠４７を一体に備え、その三辺の外周枠４７上に払い出し基板４１が当接されて位置決め突起４９、固定ネジ５０等によりケース本体４３に着脱自在に固定されている。ケース蓋体４４は払い出し基板４１に当接又は近接する段部５１を有し、その段部５１にコネクタ孔５２が形成されている。そして、このケース蓋体４４はケース本体４３の外周に嵌合してヒンジ手段４５、封止手段４６等によりケース本体４３に係脱、開閉自在に結合されている。なお、ケース本体４３、ケース蓋体４４を備えた払い出し基板ケース４２には種々の形状、構造のものがあり、その何れを採用してもよい。
【００２０】
払い出し基板４１は製造直後の状態では図６に示すように略矩形状であって、その配線パターン（図示省略）が印刷されると共に、表側の中央部にＣＰＵ，ＲＯＭ，ＲＡＭ等の各種電子部品５４が配置され、また外縁部近傍に複数のコネクタ５５が装着された基板主体部５６と、この基板主体部５６に切断部５７，５８を介して連接された識別標識表示部５９，６０とを備えている。
【００２１】
払い出し基板４１は払い出し基板ケース４２に組み込む際に、何れかの切断部５７，５８を切断して何れかの識別標識表示部５９，６０を除去する。従って、仮に識別標識表示部６０を除去した場合には、図３に示すように基板主体部５６の外周にその識別標識表示部６０に対応する形状の切断済み縁６１が設けられている。
【００２２】
識別標識表示部５９，６０は基板主体部５６の一辺、例えば下辺の左右両端部に切断部５７，５８を介して連接され、その切断部５７，５８を切断することにより、任意の識別標識表示部５９，６０を基板主体部５６と一体に残しながら個別に除去可能である。
【００２３】
各識別標識表示部５９，６０は基板主体部５６の配線パターン等の邪魔にならないように基板主体部５６の隅部側に配置されており、その隅部を挟んで隣り合う二辺に跨がって斜め方向に設けられた略直線状の切断部５７，５８により基板主体部５６と区画されている。なお、切断部５７，５８、識別標識表示部５９，６０は略対象に設けられている。
【００２４】
各識別標識表示部５９，６０には、「製造業者の名称」を示す製造業者識別標識６３，６４と、「基板の型式を特定するための番号、記号その他の符号」を示す型式識別標識６５，６６とが印刷等により付されている。例えば、一方の識別標識表示部５９には製造業者がＡ社であることを示す「Ａ社」の製造業者識別標識６３と、その払い出し基板４１の型式番号を示す「１２３」の型式識別標識６５とが付されており、他方の識別標識表示部６０には製造業者がＢ社であることを示す「Ｂ社」の製造業者識別標識６４と、その払い出し基板４１の型式番号を示す「４５６」の型式識別標識６６とが付されている。なお、この場合はＡ社、Ｂ社を対象とする払い出し基板４１であるため、製造業者識別標識６３，６４、型式識別標識６５，６６が共に異なっている。
【００２５】
切断部５７，５８は基板主体部５６と識別標識表示部５９，６０とを屈曲させる等により、基板主体部５６から識別標識表示部５９，６０を容易に分離できるものであればよく、例えば図７（ａ）に示すミシン目６７、又は図７（ｂ）に示すＶ字状等の切断溝６８により構成されている。なお、切断溝６８の場合には、表裏に対応するようにその両面に設けることが望ましいが、少なくとも一方側に設ければよい。また切断部５７，５８は他の構成のものを採用してもよい。
【００２６】
なお、払い出し基板４１は、基板主体部５６の外周側の適当箇所、例えば識別標識表示部５９，６０と反対の一辺に設けられた位置決め孔６９と、この位置決め孔６９から離れた位置に設けられた複数の取り付け孔７０とを有し、その位置決め孔６９にケース本体４３の位置決め突起４９が嵌合され、取り付け孔７０にケース本体４３側の取り付け部に螺合する固定ネジ５０が挿通されている。
【００２７】
取り付け孔７０は基板主体部５６と識別標識表示部５９，６０とに設けられている。例えば、切断部５７，５８側の基板主体部５６にはその切断部５７，５８の近傍に、また識別標識表示部５９，６０には切断部５７，５８から離れた隅部に夫々取り付け孔７０が設けられている。
【００２８】
この実施例の場合には、次のような利点がある。例えばＯＥＭ等に際しては、Ａ社製のパチンコ機とＢ社製のパチンコ機とに共通の払い出し基板４１を使用する場合には、予め図６に示すような構成の払い出し基板４１を製作しておく。
【００２９】
即ち、払い出し基板４１の製作に当たっては、基板主体部５６の一辺の両側に二つの識別標識表示部５９，６０が切断部５７，５８を介して連接された払い出し基板４１を製作する。勿論、二つの識別標識表示部５９，６０には製造業者であるＡ社用、Ｂ社用等に関する所定の識別標識６３〜６６が付されている。
【００３０】
このようにＡ社用、Ｂ社用の識別標識表示部５９，６０を切断部５７，５８を介して一体に備えた払い出し基板４１を製作することによって、この払い出し基板４１をＡ社用、Ｂ社用の何れにも兼用することができ、払い出し基板４１の共通化をより促進することができる。
【００３１】
そして、払い出し基板ケース４２内に組み込む前に、払い出し基板４１がＡ社用であるかＢ社用であるかに応じて不要な識別標識表示部５９，６０を除去し、必要な識別標識表示部５９，６０を残し、その状態で払い出し基板４１を払い出し基板ケース４２内に収納する。
【００３２】
例えばＡ社用の払い出し基板ユニットを組み立てる場合には、Ｂ社用の識別標識表示部６０が不要であるので、図６に二点鎖線で示すように切断部５８を切断して基板主体部５６から識別標識表示部６０を除去する。これによってＢ社用の識別標識表示部６０があった部分には、図３に示すように切断部５８を切断した切断済み縁６１が残るだけであって、Ａ社用の識別標識表示部５９が切断部５７を介して基板主体部５６に一体に連接されたＡ社専用の払い出し基板４１となる。
【００３３】
従って、Ｂ社用の識別標識表示部６０を除去することによって、当初Ａ社用、Ｂ社用の共通部品であった払い出し基板４１がこの時点からＡ社用の専用部品となるので、組み立ての段階でＡ社用、Ｂ社用を選択することが可能であり、例えば何等かの事情でＡ社のパチンコ機の製造数が多くなり、Ｂ社のパチンコ機の製造数が少なくなるような場合にも、基板主体部５６と識別標識表示部５９，６０を備えた専用形態の払い出し基板４１であるにも拘わらず、その払い出し基板４１を製造数量の多少に応じて自在に転用することができ、また払い出し基板４１の無駄を解消することができる。
【００３４】
また払い出し基板４１には基板主体部５６と一方の識別標識表示部５９との間に切断部５７があり、他方には切断済み縁６１があるが、その切断部５７、切断済み縁６１の近傍で基板主体部５６を固定ネジ５０によりケース本体４３に固定し、識別標識表示部５９，６０の隅部を固定ネジ５０によりケース本体４３に固定しているので、ケース本体４３に対して払い出し基板４１を確実に固定することができる。
【００３５】
図８は本発明の第２の実施例を例示する。この実施例では、識別標識表示部５９，６０に表示された製造業者識別標識６３，６４に対応して複数種類の払い出し基板ケース４２が準備されている。各払い出し基板ケース４２には、払い出し基板４１を取り付けるケース本体４３側に、その払い出し基板４１が除去された識別標識表示部５９，６０に対応して払い出し基板ケース４２のケース本体４３側に突出部７１が設けられている。
【００３６】
この突出部７１は除去された識別標識表示部６０に対応する形状になっているが、その除去された識別標識表示部６０に対応する範囲内に、払い出し基板４１の取り付け面よりも突出する突出部７１があれば十分である。なお、突出部７１は払い出し基板４１の切断済み縁６１の外側近傍に設ければよい。
【００３７】
この場合には、払い出し基板ケース４２は突出部７１の位置の違いによってＡ社用とＢ社用との二種類があり、それに収納される払い出し基板４１は一種類であり、それを第１の実施例と同様に使い分ける。
【００３８】
例えばＡ社用の払い出し基板ユニットを製作する場合には、Ａ社用の払い出し基板ケース４２を使用し、その払い出し基板ケース４２に、Ｂ社用の識別標識表示部６０が除去されてＡ社用の専用基板となった払い出し基板４１を収納する。
【００３９】
このようにすれば、Ａ社用の払い出し基板ユニットの製作に際して、誤ってＡ社用の識別標識表示部５９を切断してＢ社用の払い出し基板４１とした後、そのＢ社用の払い出し基板４１をＡ社用の払い出し基板ケース４２のケース本体４３上にセットしても、突出部７１が邪魔になって正規の取り付け位置に収まらないので、その払い出し基板４１をケース本体４３に固定できない。
【００４０】
従って、この段階で払い出し基板ケース４２と払い出し基板４１との組み合わせの間違いを発見でき、共通の払い出し基板４１を使用しているにも拘わらず、払い出し基板ケース４２と払い出し基板４１との組み合わせ違いを未然に防止することができると共に、払い出し基板ケース４２を開けてその都度内部の払い出し基板４１を確認する必要もない。
【００４１】
図９は本発明の第３の実施例を例示する。この実施例では、共通基板である払い出し基板４１には、その対角線方向の両側に切断部５７，５８を介して識別標識表示部５９，６０が設けられている。なお、各切断部５７，５８は、対角線方向の両側の隅部を挟む二辺に跨がって斜め方向に形成され、互いに略平行になっている。この場合にも、例えば切断部５８を切断して識別標識表示部６０を除去すれば、切断済み縁６１ができる。
【００４２】
このように各識別標識表示部５９，６０は、基板主体部５６に配置される配線パターン、電子部品５４、コネクタ５５等の配置によっては払い出し基板４１の対角線方向の両側に設けることも可能であり、この場合にも第１、第２の実施例と同様に実施することができる。
【００４３】
図１０は本発明の第４の実施例を例示する。この実施例では、矩形状の払い出し基板４１の短辺側に識別標識表示部５９，６０が並べて配置されている。各識別標識表示部５９，６０は直線状に設けられた切断部５７，５８を介して基板主体部５６と区画され、両識別標識表示部５９，６０は切断部７２を介して区画されている。
【００４４】
このように払い出し基板４１の一端側に複数の識別標識表示部５９，６０を並べて設けた場合にも、各切断部５７，５８，７２を適宜切断することによって、任意の１の識別標識表示部５９，６０を残して他の識別標識表示部５９，６０を除去できるので、各実施例と同様に実施することができる。
【００４５】
図１１は本発明の第５の実施例を例示する。この実施例では、同一の製造業者内において、同一の配線パターン、電子部品５４、コネクタ５５を備えて同一の制御機能を有する払い出し基板４１を型式番号を変えて、異なるパチンコ機に共通に使用する場合を例示する。
【００４６】
識別標識表示部５９，６０を除去する前の払い出し基板４１は、基板主体部５６の一辺の両端側に二つの識別標識表示部５９，６０が切断部５７，５８を介して設けられている。各識別標識表示部５９，６０には、同一の製造業者を示す「Ａ社」の製造業者識別標識６３，６４が付され、またその一方には型式番号を示す「００１」の型式識別標識６５が、他方にはそれとは異なる型式番号を示す「００２」の型式識別標識６６が夫々付されている。従って、この場合には識別標識表示部５９，６０に付される製造業者識別標識６３，６４、型式識別標識６５，６６の内、製造業者識別標識６３，６４が同じで、型式識別標識６５，６６が異なっている。
【００４７】
このようにしておけば、同一の製造業者において、同じ制御機能を有す基板主体部５６を備えた払い出し基板４１を使用しながら、機種毎にその払い出し基板４１の型式番号を変えて、複数種類のパチンコ機を製造する場合には、その識別標識表示部５９，６０の何れか一方を切断すればよい。
【００４８】
従って、第１〜４の実施例では、Ａ社とＢ社との異なる製造業者を前提にして、最終的に専用形態を取りながらも一種類の払い出し基板４１をＡ社用とＢ社用に共通に使用できる場合を例示しているが、異なる製造業者相互での払い出し基板４１の共通化の他、同一の製造業者内において、複数種類の機種相互での払い出し基板４１の共通化を図る場合にも同様に実施することができる。
【００４９】
以上、本発明の各実施例について詳述したが、本発明はこの各実施例に限定されるものではなく、本発明の趣旨を逸脱しない範囲で種々の変更が可能である。例えば、各実施例では払い出し基板４１について詳述しているが、主基板、その他の基板においても同様に実施可能であることは云うまでもない。
【００５０】
また各実施例では、基板主体部５６に対して二つの識別標識表示部５９，６０を設ける場合を例示しているが、識別標識表示部５９，６０は三つ以上でもよい。また識別標識表示部５９，６０に表示される識別標識は、各実施例では製造業者識別標識６３，６４と型式識別標識６５，６６とに分けて例示しているが、製造業者の名称と基板の型式番号とをまとめて一つの識別標識を構成してもよい。勿論、その製造業者は異なってもよいし、同じでもよい。要するに識別標識表示部５９，６０に付される識別標識は、製造業者及び型式を示すものであって、製造業者識別標識６３，６４は型式識別標識６５，６６とを別々に表示するかまとめて表示するかを問わず、全体として異なる標識であればよい。
【００５１】
払い出し基板４１を収納する払い出し基板ケース４２（収納ケース）の構成は、ケース本体４３、ケース蓋体４４を備えたものが一般的があるが、これ以外の構造のものでもよい。またケース本体４３、ケース蓋体４４を備えた払い出し基板ケース４２を使用する場合、払い出し基板４１はケース蓋体４４側に固定してもよい。更に識別標識は文字が適当であるが、その一部又は全部を記号化又は符号化して付することも可能である。
【００５２】
また実施例では本発明をパチンコ機に適用した例を示したが、アレンジボール機、スロットマシン等の各種遊技機において同様に実施可能であることは言うまでもない。
【図面の簡単な説明】
【００５３】
【図１】本発明の第１の実施例を示すパチンコ機の正面図である。
【図２】同パチンコ機の背面図である。
【図３】同払い出し基板ユニットの分解斜視図である。
【図４】同払い出し基板ユニットの一部切欠き背面図である。
【図５】図４のＸ−Ｘ線断面図である。
【図６】同払い出し基板の正面図である。
【図７】同切断部の斜視図である。
【図８】本発明の第２の実施例を示すケース本体の斜視図である。
【図９】本発明の第３の実施例を示す払い出し基板の正面図である。
【図１０】本発明の第４の実施例を示す払い出し基板の正面図である。
【図１１】本発明の第５の実施例を示す払い出し基板の正面図である。
【符号の説明】
【００５４】
４１  払い出し基板
４２  払い出し基板ケース
５４  電子部品
５６  基板主体部
５７，５８  切断部
５９，６０  識別標識表示部
６１  切断済み縁
６３，６４  製造業者識別標識
６５，６６  型式識別標識
６７  ミシン目
６８  切断溝
７１  突出部
【図１】
2010142471.tif 000003
【図２】
2010142471.tif 000004
【図３】
2010142471.tif 000005
【図４】
2010142471.tif 000006
【図５】
2010142471.tif 000007
【図６】
2010142471.tif 000008
【図７】
2010142471.tif 000009
【図８】
2010142471.tif 000010
【図９】
2010142471.tif 000011
【図１０】
2010142471.tif 000012
【図１１】
2010142471.tif 000013